(57)【要約】【課題】実際に水回路に用いる場合であっても、生産性、コスト的に有利で、かつ部品在庫管理も簡単な連結管を提供することを目的とする。【解決手段】パイプ１の一端に分岐水栓２と接続可能な接続具３と水密性を確保するパッキン４を装着し、パイプ１の他端には機器５の給水接続口６および前記接続具３に接続可能なナット７と水密性を確保するパッキン８を装着し、このパイプ１を単品または複数本連結して、分岐水栓２と機器５の給水接続口６とを連結したものである。これにより、実際に水回路に用いる場合であっても、同一の連結管によって配管できるため、長さの異なる連結管を複数用意する必要もなく、生産性、コスト的に有利で、かつ部品在庫管理も簡単なものとなる。【選択図】図１
2005139616.tif 000002
【特許請求の範囲】
【請求項１】
パイプの一端に分岐水栓と接続可能な接続具と水密性を確保するパッキンを装着し、前記パイプの他端には機器の給水接続口および前記接続具に接続可能なナットと水密性を確保するパッキンを装着し、前記パイプを単品または複数本連結して、分岐水栓と機器の給水接続口とを連結した連結管。
【請求項２】
パイプの両端部及びパッキンは、寸法及び形状を同一とした請求項１に記載の連結管。
【請求項３】
分岐水栓と接続具の締結を行うアダプターとしてナットを使用可能とした請求項１または２に記載の連結管。
【請求項４】
ナットは、分岐水栓の給水口に接続可能とした請求項３に記載の連結管。
【請求項５】
請求項１〜４のいずれか１項に記載の連結管を水回路に配設した洗浄装置。
【発明の詳細な説明】
【技術分野】
【０００１】
本発明は、水回路に用いる連結管とそれを使用した洗浄装置に関するものである。
【背景技術】
【０００２】
従来、この種の連結管は、配管接続が簡単に行えるようにその材料として最適材料を選定するものが知られている（例えば、特許文献１参照）。
【特許文献１】特開平９−１４４１１０号公報
【発明の開示】
【発明が解決しようとする課題】
【０００３】
しかしながら、前記従来の構成では、連結管として可撓性の材料を選定することにより、配管接続が簡単に行えるが、実際に水回路に用いる場合は、その必要とする長さ（距離）が様々であるため、多少長さ調整ができても、長さの異なる連結管を複数用意する必要があった。特に、頻度の少ない設置例の場合は、連結管が特殊となり、長尺になることもあり、これにより生産性が悪く、コストも高いものになっていた。また、設置対応力をよくするために、標準品以外の連結管に加え、多品種の予備在庫を持つ必要があり、部品在庫管理を複雑なものにしていた。
【０００４】
本発明は、前記従来の課題を解決するもので、実際に水回路に用いる場合であっても、生産性、コスト的に有利で、かつ部品在庫管理も簡単な連結管を提供するとともに、この連結管を使用することにより配管接続を簡単化した洗浄装置を提供することを目的とする。
【課題を解決するための手段】
【０００５】
前記従来の課題を解決するために、本発明の連結管は、パイプの一端に分岐水栓と接続可能な接続具と水密性を確保するパッキンを装着し、パイプの他端には機器の給水接続口および前記接続具に接続可能なナットと水密性を確保するパッキンを装着し、このパイプを単品または複数本連結して、分岐水栓と機器の給水接続口とを連結したものである。
【０００６】
これにより、実際に水回路に用いる場合であっても、同一の連結管によって配管できるため、長さの異なる連結管を複数用意する必要もなく、生産性、コスト的に有利で、かつ部品在庫管理も簡単なものとなる。
【０００７】
また、本発明の洗浄装置は、前記連結管を使用して水回路に配設したものであり、配管接続が簡単な洗浄装置とすることができる。
【発明の効果】
【０００８】
本発明の連結管とそれを使用した洗浄装置は、実際に水回路に用いる場合であっても、生産性、コスト的に有利で、かつ部品在庫管理も簡単で、配管接続を簡単化することができる。
【発明を実施するための最良の形態】
【０００９】
第１の発明は、パイプの一端に分岐水栓と接続可能な接続具と水密性を確保するパッキンを装着し、パイプの他端には機器の給水接続口および前記接続具に接続可能なナットと水密性を確保するパッキンを装着し、このパイプを単品または複数本連結して、分岐水栓と機器の給水接続口とを連結した連結管とすることにより、実際に水回路に用いる場合であっても、同一の連結管によって配管できるため、長さの異なる連結管を複数用意する必要もなく、生産性、コスト的に有利で、かつ部品在庫管理も簡単なものとなる。
【００１０】
第２の発明は、特に、第１の発明におけるパイプの両端部及びパッキンは、寸法及び形状を同一としたことにより、パイプの両端部に装着するパッキンの共用化を図ることができ、パッキンを保持するために構成しているパイプの両端部に設けたビード形状及び寸法を共通化することができる。従って、パイプ両端のビード加工を行う設備・治工具の共用化も図れ、設備費用の削減が図れるものである。また、パイプ両端寸法・形状が同じであるため、パイプに方向性がなくなり、ナットと接続具の取付け間違が発生せず、組立上のフールプルーフ効果も得られ生産性も上がるという効果もある。
【００１１】
第３の発明は、特に、第１または第２の発明における分岐水栓と接続具の締結を行うアダプターとしてナットを使用可能としたことにより、アダプターとナットを同一構成とすることで、アダプター新規成形のための金型投資が不要となり、金型投資が抑えられるものである。
【００１２】
第４の発明は、特に、第３の発明におけるナットは、分岐水栓の給水口に接続可能としたことにより、既設の分岐水栓をそのまま使用して、連結管を接続できるものである。従って、配管接続における施工で最も時間と技量を要する工事が簡略化でき、施工の時間を大幅に短縮できるものである。
【００１３】
第５の発明は、第１〜第４のいずれか１つの発明における連結管を水回路に配設した洗浄装置とすることにより、その配管接続が簡単となるものである。
【００１４】
以下、本発明の実施の形態について、図面を参照しながら説明する。なお、この実施の形態によって本発明が限定されるものではない。
【００１５】
（実施の形態１）
図１、図２は、本発明の実施の形態１における連結管を示すものである。
【００１６】
図に示すように、本実施の形態における連結管は、パイプ１の一端に分岐水栓２と接続可能な接続具３と水密性を確保するパッキン４を装着し、パイプ１の他端には機器５の給水接続口６および前記接続具３に接続可能なナット７と水密性を確保するパッキン８を装着し、このパイプ１を単品または複数本連結して、分岐水栓２と機器５の給水接続口６とを連結したものである。なお、図１においては、連結管を２本用い、一方のパイプ１の接続具３と他方のパイプ１のナット７とをネジ結合で連結して、分岐水栓２と機器５の給水接続口６とを連結している状態を示している。
【００１７】
また、パイプ１の一端の接続具３と分岐水栓２とは、分岐水栓２の給水口９にアダプター１０を用いて締結し水密接続しているものであり、締結により給水口９とパッキン１１で水密確保し、また接続具３とはパッキン１２で水密確保している。パイプ１の他端のナット７と機器５の給水接続口６とは、ナット７を給水接続口６に直接締結しパッキン８により水密確保して接続している。
【００１８】
上記のように、本実施の形態における連結管は、一方のパイプ１の接続具３と他方のパイプ１のナット７とをネジ結合することにより、複数本のパイプ１を順次、連続して連結できるものである。これにより、同一の連結管によって、分岐水栓２の設置位置に関係なく、連結管の組み合わせによって、連結管長さを任意に設定できるので、特殊な長さの連結管を用意する必要がなく、連結管の標準化が図れるものである。このことによって、連結管の品種が非常に少なくなるとともに、定尺寸法加工になるので、量産性も良く、生産性が向上し、コストも安くなるものである。更に、品種が少ないことによって在庫管理が非常に容易となるものである。
【００１９】
なお、ナット７と給水接続口６及び接続具３との接続手段にネジ締結手段を用いたが、他の締結手段、例えば、クイックファスナー方式でも良い。要は、ナット７は、給水接続口６及び接続具３と水密接続できる構成であれば特に限定されるものではない。また、パイプ１の材質は、特に問われるものではなく、銅管・プラスチック管・ゴム管などを適宜用いることができる。
【００２０】
（実施の形態２）
図３は、本発明の実施の形態２における連結管の要部を示している。
【００２１】
本実施の形態においては、パイプ１の両端部及びパッキン４、８は、寸法及び形状を同一としたものである。すなわち、図１におけるＥ部、Ｆ部を図３に示す構成としている。
【００２２】
これにより、パイプ１の両端部とパッキン４、８の共用化を図ることにより、パッキン４、８を保持するために構成しているパイプ１両端部に設けたビード１Ａの寸法を共通化することができる。従って、パイプ両端部とビード１Ａの加工を行う設備・治工具の共用化も図れ、設備費用の削減が図れるものである。また、パイプ１の両端部の寸法・形状が同じであるため、パイプ１に方向性がなくなり、ナット７と接続具３の取付け間違が発生せず、組立上のフールプルーフが図れ、生産性も上がるという効果が得られるものである。
【００２３】
（実施の形態３）
次に、本発明の実施の形態３における連結管について、図１、図２に基づき説明する。
【００２４】
本実施の形態においては、接続具３と分岐水栓２とを締結するアダプター１０としてナット７を使用可能としたものである。すなわち、アダプター１０をナット７と同一構成とし、同一寸法、同一形状、同一材質としたものである。
【００２５】
これによれば、アダプター１０として、ナット７が代用できるため、部品の共用化が図れ、アダプター１０の新規成形のための金型投資が不要となり、高価な金型投資が抑えられるものである。
【００２６】
（実施の形態４）
次に、本発明の実施の形態４における連結管について、図１、図２に基づき説明する。
【００２７】
本実施の形態においては、ナット７（アダプター１０でも同じ）は、一端部（他端部は接続具３と締結されている）で分岐水栓２の給水口９に接続可能としたものである。
【００２８】
これによれば、既設の分岐水栓２をそのまま使用して、パッキン１１、１２を介して連結管を接続できるものである。従って、配管接続における施工で最も時間と技量を要する工事が簡略化でき、施工の時間を大幅に短縮できるものである。
【００２９】
（実施の形態５）
図４は、本発明の実施の形態５における洗浄装置を示すものである。
【００３０】
本実施の形態においては、便器１３に載置された洗浄装置１４は給水栓１５より分岐水栓１６によって給水分岐をし、連結管１７を介して洗浄装置１４の給水接続口１８に給水する。給水された水は、洗浄装置１４の使用者の操作によってノズル１９から洗浄水を供給するものである。この水回路の分岐水栓１６から給水接続口１８の間の連結管１７として、実施の形態１〜４のいずれか１つに記載の連結管を単品、または複数本連結して配設しているものである。
【００３１】
例えば、止水栓１５が便器１３の左側Ａ位置にある場合は、連結管１７の単品使用、止水栓１５が便器１３の右側Ｂ位置にある場合は、連結管１７の２本使用、止水栓１５が上方Ｃ位置にある場合は、連結管１７の３本使用など、止水栓１７の設置位置に関係なく、連結管１７の増設組み合わせによって、連結管１７長さを任意に設定できる。従って、特殊な長さの連結管１７を用意する必要がなく、連結管１７の標準化が図れ、その配管接続が簡単となるものである。このことによって、連結管１７の品種が非常に少なくなるとともに、定尺寸法加工になるので、量産性も良く、生産性が向上し、コストも安くなるものである。更に、品種が少ないことによって在庫管理が非常に容易となるものである。
【産業上の利用可能性】
【００３２】
以上のように、本発明にかかる連結管とそれを使用した洗浄装置は、実際に水回路に用いる場合であっても、生産性、コスト的に有利で、かつ部品在庫管理も簡単で、配管接続を簡単化することができるもので、トイレ装置など水利用機器として有用である。
【図面の簡単な説明】
【００３３】
【図１】本発明の実施の形態１〜４における連結管を示す断面図
【図２】同連結管の要部の拡大断面図
【図３】本発明の実施の形態２における連結管の要部の拡大断面図
【図４】本発明の実施の形態５における洗浄装置の配管接続パターンを示す斜視図
【符号の説明】
【００３４】
１  パイプ
２  分岐水栓
３  接続具
４、８  パッキン
５  機器
６  給水接続口
７  ナット
９  給水口
１０  アダプター
【図１】
2005139616.tif 000003
【図２】
2005139616.tif 000004
【図３】
2005139616.tif 000005
【図４】
2005139616.tif 000006